(57)【要約】【課題】被服そのもののデザインにとらわれることなく、着用者個々人が自由に個性を発揮することができるオリジナリティーを備え、他の被服との差別化を図ることが可能な発光服飾品及び発光服飾繊維並びにそれらを使用した発光服飾被服の提供を図る。【解決手段】洋服や着物、帯等の被服に取り付けられる発光服飾品であって、取付部と電源部と該電源部に接続された発光体とからなる構造となっている。また、洋服や着物、帯等の被服繊維に編み込まれるに繊維であって、光ファイバーからなり、該光ファイバーの所定箇所に漏光部を少なくとも一以上設けた構造となっている。これら発光服飾品及び発光服飾繊維から、種々の発光服飾被服を創作することが可能である。発光体としては発光ダイオードを使用したり、また、発光体の発光パターンを変化させる構造も採り得る。【選択図】図１
2009013505.tif 000002
【特許請求の範囲】
【請求項１】
洋服や着物、帯等の被服に取り付けられる服飾品であって、取付部と電源部と該電源部に接続された発光体とからなることを特徴とする発光服飾品。
【請求項２】
前記発光体が、発光ダイオードであることを特徴とする請求項１に記載の発光服飾品。
【請求項３】
前記発光服飾品に回路を設け、発光体の発光パターンを変化させることを特徴とする請求項１または請求項２に記載の発光服飾品。
【請求項４】
前記発光服飾品が被服用ボタンであることを特徴とする発光服飾ボタン。
【請求項５】
前記発光服飾品が被服の任意箇所に取り付けられたことを特徴とする発光服飾被服。
【請求項６】
洋服や着物、帯等の被服繊維に編み込まれるに繊維であって、光ファイバーからなり、該光ファイバーの所定箇所に漏光部を少なくとも一以上設けたことを特徴とする発光服飾繊維。
【請求項７】
前記発光服飾繊維からなる被服であって、所定箇所に少なくとも一以上の電源部を備えるとともに該電源部に接続される少なくとも一以上の発光体を備え、該発光体の光が前記光ファイバーにより伝達され、前記漏光部から光が漏洩することを特徴とする発光服飾被服。
【請求項８】
前記発光体が、発光ダイオードであることを特徴とする請求項７に記載の発光服飾被服。
【請求項９】
前記発光服飾被服に回路を設け、発光体の発光パターンを変化させることを特徴とする請求項７または請求項８に記載の発光服飾被服。
【請求項１０】
前記発光服飾被服が着物であることを特徴とする請求項５及び請求項７から請求項９のいずれかに記載の発光服飾着物。
【請求項１１】
前記発光服飾被服が帯であることを特徴とする請求項５及び請求項７から請求項９のいずれかに記載の発光服飾帯。
【発明の詳細な説明】
【技術分野】
【０００１】
本発明は、洋服や着物、帯等の被服に取り付けられる服飾品、あるいは、該被服繊維に編み込まれる服飾繊維に関するものである。
【背景技術】
【０００２】
従来から人は被服を着用しており、それは生活をする上で必要不可欠なものである。それが最近では、かかる生活上から着用するだけでなく、ファッションとして自分を着飾るために被服を着用するようになってきている。そして、その自分を着飾るために、他人とは違う被服を着用することで、自分を個性的に表現しようとするようになる。しかしながら、他人が自分と同じ被服を着用しているのを目撃し、気まずくなった経験をしたことのある人も多いはずである。すなわち、他人が持ってない被服を購入しようとしてもほとんど不可能であって、全くのオリジナルとなると手作りによる一物品の被服しかないのが現状である。
【０００３】
そこで、一般にリバーシブルといわれている裏返しても着用可能な被服が種々提案されている。これによれば、表側と裏側とで模様等の装飾デザインを違えることによって、一の被服でファッション性の異なる表裏ニバージョンの着回しが可能となる。しかしながら、二バージョンのみでは変化に乏しく、結局気に入った装飾デザインの方のみを着用するようになってしまい、また、他人と同じリバーシブルの被服であった場合に、二分の一の確率で同じ装飾デザインとなってしまう危険性もある。
【０００４】
また、被服に取外し可能な部材を装着することにより、かかる部材の取外しや組合わせ等によって様々な形態を呈する被服も提案されている。例えば、袖腕を肩口や袖の中間部位から取外すことが可能な被服がある。これによれば、確かに夏冬兼用の被服としては便利であるが、ファッション性についてはほとんど差がなく、上記問題点を解決するには至っていない。また、ワッペン等装飾部材を取外し可能として、着用時によってかかる装飾部材を種々変更することが可能な被服もある。これによれば、かかる装飾部材を変えることで多少の変化をもたらすことにはなるが、前記同様ファッション性についてはほとんど差がなく、結局上記問題点を解決するには至っていない。
【特許文献１】特開２００４−１８３２０２号公報
【特許文献２】特開２００３−２４７１１０号公報
【特許文献３】特開２００１−５５６１０号公報
【特許文献４】特開２０００−２３４２０７号公報
【特許文献５】実開平１−１６５８７９号公報
【特許文献６】実開昭６３−１２３６１３号公報
【特許文献７】実開昭６１−１５９３０９号公報
【発明の開示】
【発明が解決しようとする課題】
【０００５】
上記問題点に鑑み、本発明は、被服そのもののデザインにとらわれることなく、着用者個々人が自由に個性を発揮することができるオリジナリティーを備え、他の被服との差別化を図ることが可能な発光服飾品及び発光服飾繊維並びにそれらを使用した発光服飾被服を提供することを目的とする。
【課題を解決するための手段】
【０００６】
前記目的を達成するため、本発明は、洋服や着物、帯等の被服に取り付けられる服飾品であって、取付部と電源部と該電源部に接続された発光体とからなる発光服飾品である。
【０００７】
また、本発明は、前記発光服飾品を被服用ボタンとして使用することによる発光服飾ボタンである。
【０００８】
さらに、本発明は、前記発光服飾品を被服の任意箇所に取り付けられることによる発光服飾被服である。
【０００９】
またさらに、本発明は、洋服や着物、帯等の被服繊維に編み込まれるに繊維であって、光ファイバーからなり、該光ファイバーの所定箇所に漏光部を少なくとも一以上設けた発光服飾繊維である。
【００１０】
さらにまた、本発明は、前記発光服飾繊維からなる被服であって、所定箇所に少なくとも一以上の電源部を備えるとともに該電源部に接続される少なくとも一以上の発光体を備え、該発光体の光が前記光ファイバーにより伝達され、前記漏光部から光が漏洩する発光服飾被服である。
【００１１】
そしてまた、本発明は、前記発光服飾被服が着物または帯である態様を採ることができる。
【００１２】
そしてさらに、本発明は、前記発光体を発光ダイオードとする構成を採ることができる。
【００１３】
さらにまた、本発明は、回路を設け、発光体の発光パターンを変化させる構成を採用することもできる。
【発明の効果】
【００１４】
本発明にかかる発光服飾品によれば、縫い付け等によって簡単に被服に取り付けることが可能であって、それを取り付けた被服は、ビーズやスパンコールを縫い付けた被服、刺繍を施した被服のように、美観に優れたオリジナリティーに富む被服を創作することが可能となる。
【００１５】
また、本発明にかかる発光服飾品並びに発光服飾繊維によれば、発光という装飾効果によって、今までにない被服の美観を奏することとなり、発光服飾品を洋服や着物・帯といった被服に任意に取り付けた被服、あるいは、被服のボタンとして使用した被服、さらには、発光服飾繊維を使用した被服を着用すれば、他の被服との差別化が図られて、充分にオリジナリティーを有する装飾性に優れた被服を提供することが可能となる。
【００１６】
さらに、回路を設けて発光体の発光パターンを変化させることで、発光体が発光する色や明度の強弱、点滅等の発光パターンを変化させることにより、さらに優れた装飾効果を奏するとともに、着用者それぞれのオリジナリティーをより発揮して、自他の差別化を図ることが可能となる。
【発明を実施するための最良の形態】
【００１７】
以下、本発明にかかる発光服飾品の実施形態を、図面に基づいて説明する。
【００１８】
図１は、本発明にかかる発光服飾品１を示す断面図である。該発光服飾品１は、取付部２と、電源部３と、該電源部３に接続された発光体４とから構成されている。
【００１９】
取付部２は、発光服飾品１を被服等に容易に取り付け可能とするためのものであって、その構造について特に限定はなく、図１あるいは図２（ａ）に示すように、該取付部２を糸による取付けのための糸通し孔としたり、あるいは図２（ｂ）に示すように、安全ピンとする等が考え得る。また、電源部３については、電源としての機能を発揮するものであれば特に限定はないが、本発明にかかる発光服飾品１は、その機能上から小型であることが望ましく、したがって、電源部３についてボタン電池等の小型のものを採用することが望ましい。そしてまた、電源部３について自由に交換可能とすべく、図面に示すようなヒンジ６やネジ等の開閉機構が備えられている。
【００２０】
発光体４は、電源部３に接続され、該電源部３からの電源供給を受けて発光することとなる。かかる発光体４については特に限定はなく、電球や発光ダイオードなどが考えられるが、小型化及び消費電力を考慮すると、発光ダイオードが望ましい。また、図面に示すようにスイッチ７を設けることで、電源部からの電源供給のＯＮ／ＯＦＦを任意に行える構造とすることが望ましい。なお、図面では、発光体４の上部を被覆するカバー５を取り付けて成るが、必ずしもかかる構造とする必要はない。該カバー５は、発光体４が電球である場合の保護カバーや、また、カバー５の色を変化させることで放つ発光色を変化させる等として機能する。
【００２１】
また、図面に示すように、電源部３と発光体４の中間に基盤８及び回路９を設けることで、発光体４の発光パターンを変化させる態様も考え得る。すなわち、基盤８及び回路９からの指令によって、電源部３から発光体４への電源供給量を変化させて、発光服飾品１が点滅や減光・増光を行ったり、あるいは、発光体４が色彩の異なる複数の発光ダイオードである場合に、発光色を変化させることが可能な態様である。
【００２２】
上記の通り構成される本発明にかかる発光服飾品１の使用態様としては、被服用ボタンとして使用するなど、あらゆる使用態様が考え得る。図３及び図４は、該発光服飾品１を被服の任意箇所に取り付ける使用態様について示しており、図２は洋服についての使用態様、図４（ａ）は帯についての使用態様、図４（ｂ）は着物についての使用態様について示している。取り付け箇所や取り付け個数といった取り付け態様については特に限定はなく、ランダムに取り付けたり、あるいは、図４（ｂ）に示すように星座を模って取り付けるなど、ある一定の図形等を模って取り付けることが可能である。尚、取り付け対象となる被服について特に限定がないことは言うまでもなく、図面に示すような洋服や着物以外にも、スカーフや手袋、ショールやベール、帽子類、ターバンその他の民族衣装など、あらゆるものが対象となり得る。
【００２３】
このように、本発明にかかる発光服飾品１は、被服に対して自由に取り付け・取り外しが可能であって、一度取り付けた発光服飾品１による服飾模様に飽きがきたら、他のデザインへ容易に変更することも可能である。尚、発光服飾品１を取り付け・取り外し不可として、あらかじめ被服に所定模様を施した発光服飾品１を固定して、発光服飾被服Ｗとする態様も考え得る。
【００２４】
図５は、本発明にかかる発光服飾繊維１０を示す断面図である。該発光服飾繊維１０は、光ファイバー１１からなり、該光ファイバー１１の所定箇所に漏光部１２が少なくとも一以上設けられて構成されている。
【００２５】
光ファイバー１１は、屈折率の高いところを進もうとする光の特性を利用しているので、一定の入射角度以内の光は、すべてガラス内に反射する全反射という現象が起きる。これは屈折率の違いによって生じる現象であるが、光ファイバー内部１１ａに、一部屈折率を高くした漏光部１２を備えることで、光は、光ファイバー内部１１ａから一部の光が漏光することとなる。
【００２６】
図６は、かかる発光服飾繊維１０を発光服飾被服Ｗの繊維として洋服に使用した場合の使用態様を示している。発光服飾繊維１０の所定箇所には、漏光部１２が複数設けられており、これを被服用の繊維として織り込み、又は、被服用の繊維に織り込むことにより発光服飾被服Ｗが構成される。このとき、該発光服飾被服Ｗには、所定箇所に少なくとも一以上の電源部３を備えるとともに、該電源部３に接続される少なくとも一以上の発光体４を備えることとなる。そして、該発光体４からの光が、光ファイバー内部１１ａを通過して漏光部１２から光が漏洩される。
【００２７】
なお、電源部３については、前記発光服飾品１と同様に、電源としての機能を発揮するものであれば特に限定するものではないが、その機能上から小型であることが望ましく、したがって、電源部３についてボタン電池等の小型のものを採用することが望ましい。
【００２８】
発光体４は、前記発光服飾品１と同様に、電源部３に接続され、該電源部３からの電源供給を受けて発光することとなる。かかる発光体４については特に限定はなく、電球や発光ダイオードなどが考えられるが、小型化及び消費電力を考慮すると、発光ダイオードが望ましい。
【００２９】
発光パターンについては、図面に示すように、電源部３と発光体４の中間に基盤８及び回路９を設けることで、発光体４の発光パターンを変化させる態様も考え得る。すなわち、基盤８及び回路９からの指令によって、電源部３から発光体４への電源供給量を変化させて、発光服飾品１が点滅や減光・増光を行ったり、あるいは、発光体４が色彩の異なる複数の発光ダイオードである場合に、発光色を変化させることが可能な態様である。また、複数の繊維ごとに異なる色彩の発光体４、電源部３、基盤８及び回路９を設けることで前記色彩・点滅・減光・増光をより綿密に変化させ、発光服飾被服Ｗの装飾的効果を高める態様も可能である。
【００３０】
その他、ヒンジ等の開閉機構による電源部３が自由に交換可能であること、及び、スイッチによる電源供給のＯＮ／ＯＦＦ機構を設けることが望ましいことについては、上記発光服飾品１と同様である。
【００３１】
このように、発光服飾繊維１０を使用した発光服飾被服Ｗは、各発光箇所ごとに電源が不必要であるため、電源の交換が容易であり、軽量となることから、着心地が悪くなるということはない。
【産業上の利用可能性】
【００３２】
上述の通り、本発明にかかる発光服飾品１及び発光服飾繊維１０並びにこれらを取り付けまたは編み込んで創作される発光服飾被服Ｗは、振袖や訪問着、パーティードレスなど華麗さを必要とする装いにより煌びやかさと強烈な色を与えることが可能になることから、被服業界における新たなジャンルの開拓に資するとともに、従来における服飾界を歴史的に飛躍させることとなる。また、舞台芸術の衣装界においても、例えばオペラ歌手やバレエダンサーが発光服飾品１あるいは発光服飾繊維１０から創作されたコスチュームを身にまとって舞踏することで、その人物の表現をより強烈かつ美麗に印象付けることができるなど、今までにない新たな芸術的創造が可能となる。さらには、子供のランドセルや被服に用いることで、夜間の存在確認ができ、ファッション性を考慮しつつ、併せて事故防止にも効果を発揮するといった利用態様も可能である。
【図面の簡単な説明】
【００３３】
【図１】本発明にかかる発光服飾品を示す断面図である。
【図２】本発明にかかる発光服飾品の取付部の態様を示す説明図である。
【図３】本発明にかかる発光服飾品の使用態様を示す説明図である。
【図４】本発明にかかる発光服飾品の使用態様を示す説明図である。
【図５】本発明にかかる発光服飾繊維を示す断面図である。
【図６】本発明にかかる発光服飾繊維の使用態様を示す説明図である。
【符号の説明】
【００３４】
１    発光服飾品
２    取付部
３    電源部
４    発光体
５    カバー
６    ヒンジ
７    スイッチ
８    基盤
９    回路
１０    発光服飾繊維
１１    光ファイバー
１１ａ  光ファイバー内部
１２    漏光部
Ｂ    発光服飾帯
Ｋ    発光服飾着物
Ｗ    発光服飾被服
【図１】
2009013505.tif 000003
【図２】
2009013505.tif 000004
【図３】
2009013505.tif 000005
【図４】
2009013505.tif 000006
【図５】
2009013505.tif 000007
【図６】
2009013505.tif 000008